(57)【特許請求の範囲】
【請求項１】
所定の周期を有して微少量蛇行した記録トラックを有する光ディスクから該蛇行の周期に対応するウォブル信号を検出するウォブル信号検出方法において、
前記光ディスクの所望のトラックを照射するメインビームと、該所望のトラックに隣接する第１のトラックおよび第２のトラックをそれぞれ照射するサブビームとの少なくとも３本のレーザビームを前記光ディスクに照射し、
前記所望のトラックからの前記メインビームの反射光に基づき読み取られたウォブル信号を前記第１のトラックおよび前記第２のトラックからの前記サブビームの反射光に基づきそれぞれに読み取られた少なくとも一方の信号を用いて正規化する
ことを特徴とするウォブル信号検出方法。
【請求項２】
前記メインビームが前記光ディスクに対して記録動作にあるときには、前記所望のトラックから読み取られたウォブル信号を前記第１のトラックおよび前記第２のトラックのうちの記録済のトラックから読み取られた信号によって正規化する
ことを特徴とする請求項１記載のウォブル信号検出方法。
【請求項３】
前記メインビームが前記光ディスクに対して再生動作にあるときには、前記所望のトラックから読み取られたウォブル信号を前記第１のトラックおよび前記第２のトラックからそれぞれに読み取られた信号の和によって正規化する
ことを特徴とする請求項１記載のウォブル信号検出方法。
【請求項４】
所定周期を有して半径方向に微少量蛇行した記録トラックを有する光ディスクから該蛇行の周期に対応するウォブル信号を検出する光ディスク記録再生装置において、
前記光ディスクの所望のトラックを照射するメインビームと、該所望のトラックに隣接する第１のトラックおよび第２のトラックをそれぞれ照射するサブビームとの少なくとも３本のレーザビームを前記光ディスクに照射する光ピックアップと、
前記所望のトラックからの前記メインビームの反射光に基づき読み取られたウォブル信号を前記第１のトラックおよび前記第２のトラックからの前記サブビームの反射光に基づきそれぞれに読み取られた少なくとも一方の信号を用いて正規化するウォブル信号正規化手段と
を具えることを特徴とする光ディスク記録再生装置。
【発明の詳細な説明】
【０００１】
【発明の属する技術分野】
本発明は、ＣＤ−Ｒ（Compact Disk Recordable ）等の蛇行した記録トラックを有する光ディスクからウォブル信号を検出するウォブル信号検出方法および光ディスク記録再生装置に関し、特に、ウォブル信号が含むトラック間クロストークの成分を低減するウォブル信号検出方法および光ディスク記録再生装置に関する。
【０００２】
【従来の技術】
ＣＤ−Ｒ等の書きこみ可能な光ディスクには、ディスク半径方向に僅かに蛇行（ウォブル）された記録トラックを有するものが存在し、ＡＴＩＰ（Absolute Time In Pregroove ）と呼ばれる絶対時間を示す情報がこのウォブルの周期に対応して記録されている。
【０００３】
このＡＴＩＰの情報は、光ディスク記録再生装置の光検出器の出力信号から記録トラックのウォブルの周波数成分を検出することによって得ることができ、光ディスクへの記録を行なう際の位置情報を知るために利用される。
【０００４】
なお、記録トラックのウォブルの周波数はトラッキングエラー信号の周波数に比べて十分に高いため、レーザービームは記録トラックをウォブルに沿って走査することはなく、図３に示すように、全体として記録トラックの中心線にそって走査していく。
【０００５】
したがって、記録トラックを照射するレーザビームの反射光を、記録トラックの中心線と光学的に平行な分割線で少なくとも２分割されたフォトディテクタで受光し、各ディテクタからの出力の差分を取り、この差分信号を所定の周波数を中心周波数とするバンドパスフィルタに通すことによって、ウォブル信号を得ることができる。
【０００６】
【発明が解決しようとする課題】
ところで、光ディスクのトラック密度を上げると、記録トラックから読み取られる信号に隣接トラックからの信号成分が漏れ込む現象、いわゆるトラック間クロストークの影響が無視できなくなり、記録トラックから検出されるウォブル信号も、隣接トラックの信号による干渉を受けることになり、その振幅や位相が変動してしまう。
【０００７】
記録トラックの蛇行にあわせて微小振幅するウォブル信号にとって、このような振幅の変動はＣ／Ｎの悪化を招く大きな要因となり、また、位相の変動、すなわちジッタを伴うことにより、正確なＡＴＩＰの情報が生成できなくなるという問題を生じる。
【０００８】
この発明は、上記の問題に鑑みてなされたもので、ウォブル信号に含まれる隣接トラックからのクロストーク成分を低減し、正確なＡＴＩＰ情報の生成を可能とするウォブル信号再生方法を提供することを目的とする。
【０００９】
【課題を解決するための手段】
上述した目的を達成するため、この発明は、所定の周期を有して微少量蛇行した記録トラックを有する光ディスクから該蛇行の周期に対応するウォブル信号を検出するウォブル信号検出方法において、前記光ディスクの所望のトラックを照射するメインビームと、該所望のトラックに隣接する第１のトラックおよび第２のトラックをそれぞれ照射するサブビームとの少なくとも３本のレーザビームを前記光ディスクに照射し、前記所望のトラックからの前記メインビームの反射光に基づき読み取られたウォブル信号を前記第１のトラックおよび前記第２のトラックからの前記サブビームの反射光に基づきそれぞれに読み取られた少なくとも一方の信号を用いて正規化することを特徴とする。
【００１０】
なお、前記メインビームが前記光ディスクに対して記録動作にあるときには、前記所望のトラックから読み取られたウォブル信号を前記第１のトラックおよび前記第２のトラックのうちの記録済のトラックから読み取られた信号によって正規化する。
【００１１】
また、前記メインビームが前記光ディスクに対して再生動作にあるときには、前記所望のトラックから読み取られたウォブル信号を前記第１のトラックおよび前記第２のトラックからそれぞれに読み取られた信号の和によって正規化する。
【００１２】
また、この発明は、所定周期を有して半径方向に微少量蛇行した記録トラックを有する光ディスクから該蛇行の周期に対応するウォブル信号を検出する光ディスク記録再生装置において、前記光ディスクの所望のトラックを照射するメインビームと、該所望のトラックに隣接する第１のトラックおよび第２のトラックをそれぞれ照射するサブビームとの少なくとも３本のレーザビームを前記光ディスクに照射する光ピックアップと、前記所望のトラックからの前記メインビームの反射光に基づき読み取られたウォブル信号を前記第１のトラックおよび前記第２のトラックからの前記サブビームの反射光に基づきそれぞれに読み取られた少なくとも一方の信号を用いて正規化するウォブル信号正規化手段とを具えることを特徴とする。
【００１３】
【発明の実施の形態】
以下、この発明に係るウォブル信号検出方法および光ディスク記録再生装置の実施の形態を添付図面を参照して詳細に説明する。
【００１４】
この発明のウォブル信号検出方法は、所望の記録トラック（以下、所望トラックと称す。）にメインビームを照射してウォブル信号の読み取りを行なうとともに、２本のサブビームを所望トラックの隣接トラックにそれぞれ照射し、この２本のサブビームの反射光に対応する信号によって所望トラックから読み取られたウォブル信号を正規化することにより、所望トラックから読み取られたウォブル信号に含まれる隣接トラックのＲＦ信号成分を除去することを特徴としている。
【００１５】
図１は、光ディスクの記録トラック（以下、トラックと称す）と、メインビームおよび２本のサブビームが光ディスク上に集光して形成するビームスポットとの関係を示したものである。
【００１６】
このような３本のレーザビームは、例えば、単一光源から射出されるレーザビームを回折格子を介して０次回折光および±１次回折光の少なくとも３本のレーザビームに分割することで得ることができる。
【００１７】
図１において、信号記録再生用の０次回折光によるビームスポット８１は、光ディスク７の所望トラック７Ａの中心線上を走査する。
【００１８】
また、＋１次回折光によるビームスポット８２は、トラック７Ａの隣接外周側のランド上をトラック７Ａの中心線と概ね平行に走査し、−１次回折光によるビームスポット８３は、トラック７Ａの隣接内周側のランド上をトラック７Ａの中心線と概ね平行に走査する。そして、ビームスポット８２はトラック７Ｂに記録された情報を含み、ビームスポット８３はトラック７Ｃに記録された情報を含む。
【００１９】
また、ビームスポット８２および８３は、相互の干渉を除くために、ビームスポット８１に対してトラック方向前後にそれぞれ等距離をおいて配置され、この配置のために生じるそれぞれのビームスポットのフォトディテクタ上における検出時間点のずれは、図示しない遅延回路によって補正される。
【００２０】
つまり、遅延回路を介することにより、上記３つのビームスポットが同一半径ライン上の位置８１'、８２'、８３からそれぞれに読み取った３つの信号を得ることができる。
【００２１】
さて、この発明の光ディスク記録再生装置は、光ディスクの内周側のトラックから外周側のトラックに対して順次記録または再生を行なう光ディスク記録再生装置である。
【００２２】
したがって、光ディスク記録再生装置が光ディスク７の未記録領域に対して記録動作を行なっている場合、０次回折光が記録を行なっている所望トラック７Ａの外周側のトラック７Ｂは未記録状態であり、ＲＦ信号を有さないため、トラック７Ａから読み取られるウォブル信号の正規化には、トラック７Ａの内周側の記録済みのトラック７Ｃから読み取られる信号Ｓｃだけを用いる。つまり、トラック７Ａから読み取られた正規化前のウォブル信号をＷＯａ、所定の係数ｋとすると、所望のウォブル信号ＷＯは以下の演算より得られる。
【００２３】
ＷＯ＝ＷＯａ／（ｋ×Ｓｃ）
これに対し、光ディスク記録再生装置が光ディスク７の既記録領域に対して再生動作を行なっている場合は、トラック７ＢもＲＦ信号を有するので、トラック７Ａから得られるウォブル信号の正規化には、トラック７Ｂから読み取られる信号Ｓｂおよびトラック７Ｃから読み取られる信号Ｓｃの両方が用いられる。つまり、所望のウォブル信号ＷＯは以下の演算より得られる。
【００２４】
ＷＯ＝ＷＯａ／｛ｋ×（Ｓｂ＋Ｓｃ）｝
図２は、この発明に係る光ディスク記録再生装置の一実施例の概略構成を示すブロック図である。
【００２５】
図２において、この発明に係る光ディスク記録再生装置は、光ピックアップ１０、バンドパスフィルタ（ＢＰＦ）３、正規化回路４、減算回路２２、加算回路２２、切り替えスイッチ５、動作判断部６、遅延回路９１、９２を具備して構成される。
【００２６】
ＢＰＦ３は、ウォブル信号の周波数２２．０５ＫＨｚを中心とする所定の周波数帯域だけを通過させるフィルタである。
【００２７】
切り替えスイッチ５は、光ディスク記録再生装置が光ディスク７に対して再生動作を行なっているか記録動作を行なっているかによって、正規化回路４に入力する信号を切り替えるためのスイッチである。
【００２８】
動作判断部６は、光ディスク記録再生装置が光ディスク７に対して再生動作を行なっているか記録動作を行なっているかを判断して、切り替えスイッチ５を制御する。
【００２９】
光ピックアップ１０は、１本のメインビームおよび２本のサブビームの計３本のレーザビームを射出するようにその光学系が構成されており、この実施の形態においては、１つのレーザダイオードから射出された１本のレーザ光を回折格子により少なくとも３本のレーザビームに分割する構成の光学系を適用している。
【００３０】
光ピックアップ１０において、レーザダイオード１０１より射出された１本のレーザビームは、コリメータレンズ１０２により平行光となり、回折格子１０３に入射して、メインビームとして用いられる０次回折光およびサブビームとして用いられる±１次回折光の少なくとも３本のレーザ光に分割される。この回折格子１０３により分割された光束は、ビームスプリッタ１０４を透過し、対物レンズ１０５を経て光ディスク７の記録面上に収束し、０次回折光および±１次回折光によって直線的かつ等間隔に並んだ３つのビームスポットを記録面上に形成する。記録面で反射された０次回折光および±１次回折光は、その光学特性中に記録面に記録されていた情報を含み、再び対物レンズ１０５に入射して平行光となり、ビームスプリッタ１０４で９０度方向に反射され、集光レンズ１０６を経て、フォトディテクタ（ＰＤ）１０７ａ、１０７ｂ、１０７ｃにそれぞれ結像する。
【００３１】
なお、ＰＤ１０７ａには０次回折光、ＰＤ１０７ｂには＋１次回折光、ＰＤ１０７ｃには−１次回折光の反射光がそれぞれ結像する。
【００３２】
ＰＤ１０７ａは、光ディスク７のトラックの中心線と光学的に平行な分割線によって受光領域Ａ１および受光領域Ａ２に２分割され、受光領域Ａ１および受光領域Ａ２からそれぞれに出力される信号Ｓａ１およびＳａ２は減算回路２１に入力される。
【００３３】
また、ＰＤ１０７ｂおよびＰＤ１０７ｃは、図１における所望トラック７Ａに隣接するトラック７Ｂおよびトラック７Ｃに記録された情報の影響がより強く現れる信号を得るために、ＰＤ１０７ａと同方向に２分割される。
【００３４】
つまり、＋１次回折光の反射光のうち、図１における所望トラック７Ａの外周側のトラック７Ｂの情報を主に含む部分はＰＤ１０７ｂの受光領域Ｂで受光され、−１次回折光の反射光のうち、図１における所望トラック７Ａの内周側のトラック７Ｃの情報を主に含む部分はＰＤ１０７ｃの受光領域Ｃで受光される。
【００３５】
減算回路２１は信号（Ｓａ１−Ｓａ２）を出力し、信号（Ｓａ１−Ｓａ２）は遅延回路９１において検出時間点の補正がなされてからＢＰＳ３に入力され、ＢＰＳ３においてウォブル信号の周波数２２．０５ＫＨｚを中心とする所定の周波数帯域内の周波数成分のみが抽出され、ウォブル信号ＷＯａが生成される。
【００３６】
また、ＰＤ１０７ｂの受光領域Ｂから出力され遅延回路９２において検出時間点の補正がなされた信号Ｓｂ、およびＰＤ１０７ｃの受光領域Ｃから出力された信号Ｓｃは、加算回路２２に入力され、信号（Ｓｂ＋Ｓｃ）が生成される。
【００３７】
加算回路２２から出力された信号（Ｓｂ＋Ｓｃ）は、切り替えスイッチ５の端子５ｒに入力され、一方、切り替えスイッチ５の端子５ｗには、ＰＤ１０７から出力された信号Ｓｃが入力される。
【００３８】
そして、動作判断部６の判断によって、光ディスク記録再生装置が記録動作にあるときには端子５ｗ、再生動作にあるときには端子５ｒが選択され、正規化回路４に接続される。
【００３９】
正規化回路４では、切り替えスイッチ５から入力される信号のゲインを調整して、ＢＰＦ３から入力されるウォブル信号ＷＯａを正規化し、所望のウォブル信号ＷＯを出力する。
【００４０】
このような構成により、隣接トラックのＲＦ信号を含む信号によって所望トラックから読み取られたウォブル信号を正規化するので、正規化回路４から出力されるウォブル信号ＷＯ中には、隣接トラックのＲＦ信号成分がほとんど含まれなくなる。
【００４１】
【発明の効果】
以上説明したように、この発明によれば、所望のトラックから読み取られたウォブル信号を、該所望のトラックに隣接するトラックから読み取られた信号によって正規化するため、ウォブル信号に含まれるトラック間クロストーク成分が低減され、正確なＡＴＩＰ情報を得ることができる。
【図面の簡単な説明】
【図１】ディスク上の記録トラックと３つのレーザスポットとの関係を示した図である。
【図２】この発明に係わる光ディスク記録再生装置の一実施例の概略構成ブロック図である。
【図３】ディスク上の記録トラックとレーザスポットとの関係を示した図である。
【符号の説明】
１０    光ピックアップ
３    バンドパスフィルタ（ＢＰＦ）
４    正規化回路
５    切り替えスイッチ
６    コントローラ
７    光ディスク
７Ａ、７Ｂ、７Ｃ    トラック
２１    減算回路
２２    加算回路
８１    ビームスポット
８２    ビームスポット
８３    ビームスポット
９１、９２    遅延回路
１０１    レーザダイオード
１０２    コリメータレンズ
１０３    回折格子
１０４    ビームスプリッタ
１０５    対物レンズ
１０６    集光レンズ
１０７ａ、１０７ｂ、１０７ｃ    フォトディテクタ
【図１】
0003778542.tif 000002
【図２】
0003778542.tif 000003
【図３】
0003778542.tif 000004